(57)【要約】【課題】被写体を簡単に比較できるアルバム・レイアウト装置，レイアウト方法，そのプログラムおよびそのプログラムを格納した記録媒体を提供する。【解決手段】多数の撮像画像ファイルＧが電子アルバム生成装置に読み取られる。読み取られた多数の撮像画像ファイルＧが同一撮像場所および同一撮像方向ごとに複数の撮像画像グループＧａからＧｅに分けられる。複数の撮像画像グループＧａからＧｅのうち，撮像画像が最も多い撮像画像グループＧａが一の撮像画像グループと決定される。その一の撮像画像グループに含まれる撮像画像が，電子アルバムを構成する見開きページの同一位置となるように異なるページに貼り付けられる。【選択図】図７
2015118393.tif 000002
【特許請求の範囲】
【請求項１】
多数の撮像画像を，同一撮像場所ごとにグループ分けして複数の撮像画像グループを生成するグルーピング手段，および
上記グルーピング手段において生成された複数の撮像画像グループのうち一の撮像画像グループに含まれる撮像画像を，アルバムを構成するページまたは見開き２ページの同一位置となるように異なるページに貼り付け位置を決定する貼付位置決定手段，
を備えたアルバム・レイアウト装置。
【請求項２】
上記貼付位置決定手段は，
上記グルーピング手段において生成された複数の撮像画像グループのうち一の撮像画像グループに含まれる撮像画像を，撮像日時順にアルバムを構成する各ページまたは見開き２ページにおける同一位置となるように異なるページに貼り付けるものである，
請求項１に記載のアルバム・レイアウト装置。
【請求項３】
上記グルーピング手段において生成された複数の撮像画像グループのうち一の撮像画像グループに含まれる撮像画像を，上記貼付位置決定手段によって決定された位置に貼り付ける第１の撮像画像貼付手段，
をさらに備えた請求項１または２に記載のアルバム・レイアウト装置。
【請求項４】
上記第１の撮像画像貼付手段は，
アルバムを構成するページまたは見開き２ページの同一位置となるように異なるページに貼り付けられる撮像画像の大きさが，同一ページまたは見開き２ページに貼り付けられる他の撮像画像の大きさよりも大きくなるように撮像画像を貼り付けるものである，
請求項３に記載のアルバム・レイアウト装置。
【請求項５】
上記貼付位置決定手段によって，貼り付けられる位置が決定された撮像画像に関連する撮像画像を，上記グルーピング手段において生成された複数の撮像画像グループのうち一の撮像画像グループ以外の他の撮像画像グループの中から見つける関連撮像画像検出手段，および
上記関連撮像画像検出手段によって見つけられた撮像画像を，アルバムを構成するページまたは見開き２ページに貼り付ける第２の撮像画像貼付手段，
をさらに備えた請求項３または４に記載のアルバム・レイアウト装置。
【請求項６】
上記関連撮像画像検出手段は，
上記貼付位置決定手段によって，貼り付けられる位置が決定された撮像画像に関連し，かつ同一時期に撮像された撮像画像を，上記グルーピング手段において生成された複数の撮像画像グループのうち一の撮像画像グループ以外の他の撮像画像グループの中から見つけるものである，
請求項５に記載のアルバム・レイアウト装置。
【請求項７】
上記グルーピング手段は，
多数の撮像画像を，同一撮像場所および同一撮像方向ごとにグループ分けして複数の撮像画像グループを生成するものである，
請求項１から６のうち，いずれか一項に記載のアルバム・レイアウト装置。
【請求項８】
上記グルーピング手段は，
多数の撮像画像を，同一撮像場所および同一被写体ごとにグループ分けして複数の撮像画像グループを生成するものである，
請求項１から７のうち，いずれか一項に記載のアルバム・レイアウト装置。
【請求項９】
上記グルーピング手段において生成された複数の撮像画像グループの中から一の撮像画像グループを指定する指定手段をさらに備え，
上記貼付位置決定手段は，
上記指定手段によって指定された一の撮像画像グループに含まれる撮像画像を，アルバムを構成するページまたは見開き２ページの同一位置となるように異なるページに貼り付け位置を決定するものである，
請求項１から８のうち，いずれか一項に記載のアルバム・レイアウト装置。
【請求項１０】
上記アルバムは紙のアルバムまたは電子アルバムである，請求項１から９のうち，いずれか一項に記載のアルバム・レイアウト装置。
【請求項１１】
一の撮像画像グループに含まれる撮像画像の数と撮像画像を貼付するアルバムのページ数または見開きページを１ページと考えた場合のページ数とが同じである，
請求項１から10のうち，いずれか一項に記載のアルバム・レイアウト装置。
【請求項１２】
グルーピング手段が，多数の撮像画像を，同一撮像場所ごとにグループ分けして複数の撮像画像グループを生成し，
貼付位置決定手段が，上記グルーピング手段において生成された複数の撮像画像グループのうち一の撮像画像グループに含まれる撮像画像を，アルバムを構成するページまたは見開きページの同一位置となるように異なるページに貼り付け位置を決定する，
アルバム・レイアウト方法。
【請求項１３】
アルバム・レイアウト装置のコンピュータを制御するコンピュータが読み取り可能なプログラムであって，
多数の撮像画像を，同一撮像場所ごとにグループ分けして複数の撮像画像グループを生成させ，
生成された複数の撮像画像グループのうち一の撮像画像グループに含まれる撮像画像を，アルバムを構成するページまたは見開きページの同一位置となるように異なるページに貼り付け位置を決定するように，アルバム・レイアウト装置のコンピュータを制御するコンピュータが読み取り可能なプログラム。
【請求項１４】
請求項13に記載のプログラムを格納した記録媒体。
【発明の詳細な説明】
【技術分野】
【０００１】
この発明は，アルバム・レイアウト装置およびアルバム・レイアウト方法に関する。
【背景技術】
【０００２】
多数の画像を用いて電子アルバムを生成する場合，電子アルバムに貼り付ける画像の選択，配置の決定など様々なことが行われる。たとえば，電子アルバムなどに画像を配置する場合，画像の順序を保った上で，ユーザの意図を反映することが考えられている（特許文献１）。
【先行技術文献】
【特許文献】
【０００３】
【特許文献１】特開2010-266929号公報
【発明の概要】
【発明が解決しようとする課題】
【０００４】
しかしながら，特許文献１に記載のものでは，被写体が複数種類の場合には，その被写体の変化，成長の様子などを観察することは難しい。
【０００５】
この発明は，被写体の変化の様子を比較的簡単に観察できるようにすることを目的とする。
【課題を解決するための手段】
【０００６】
この発明によるアルバム・レイアウト装置は，多数の撮像画像を，同一撮像場所ごとにグループ分けして複数の撮像画像グループを生成するグルーピング手段，およびグルーピング手段において生成された複数の撮像画像グループのうち一の撮像画像グループに含まれる撮像画像を，アルバムを構成するページまたは見開き２ページの同一位置となるように異なるページに貼り付け位置を決定する貼付位置決定手段を備えていることを特徴とする。
【０００７】
この発明は，アルバム・レイアウト方法も提供している。すなわち，この方法は，グルーピング手段が，多数の撮像画像を，同一撮像場所ごとにグループ分けして複数の撮像画像グループを生成し，貼付位置決定手段が，グルーピング手段において生成された複数の撮像画像グループのうち一の撮像画像グループに含まれる撮像画像を，アルバムを構成するページまたは見開きページの同一位置となるように異なるページに貼り付け位置を決定するものである。
【０００８】
この発明は，アルバム・レイアウト方法を実施するためのコンピュータが読み取り可能なプログラムおよびそのようなプログラムが格納された記録媒体も提供している。
【０００９】
貼付位置決定手段は，たとえば，グルーピング手段において生成された複数の撮像画像グループのうち一の撮像画像グループに含まれる撮像画像を，撮像日時順にアルバムを構成する各ページまたは見開き２ページにおける同一位置となるように異なるページに貼り付けるものである。
【００１０】
グルーピング手段において生成された複数の撮像画像グループのうち一の撮像画像グループに含まれる撮像画像を，貼付位置決定手段によって決定された位置に貼り付ける第１の撮像画像貼付手段をさらに備えるようにしてもよい。
【００１１】
第１の撮像画像貼付手段は，たとえば，アルバムを構成するページまたは見開き２ページの同一位置となるように異なるページに貼り付けられる撮像画像の大きさが，同一ページまたは見開き２ページに貼り付けられる他の撮像画像の大きさよりも大きくなるように撮像画像を貼り付けるものである。
【００１２】
貼付位置決定手段によって，貼り付けられる位置が決定された撮像画像に関連する撮像画像を，グルーピング手段において生成された複数の撮像画像グループのうち一の撮像画像グループ以外の他の撮像画像グループの中から見つける関連撮像画像検出手段，および関連撮像画像検出手段によって見つけられた撮像画像を，アルバムを構成するページまたは見開き２ページに貼り付ける第２の撮像画像貼付手段をさらに備えてもよい。
【００１３】
関連撮像画像検出手段は，たとえば，貼付位置決定手段によって，貼り付けられる位置が決定された撮像画像に関連し，かつ同一時期に撮像された撮像画像を，グルーピング手段において生成された複数の撮像画像グループのうち一の撮像画像グループ以外の他の撮像画像グループの中から見つけるものである。
【００１４】
グルーピング手段は，たとえば，多数の撮像画像を，同一撮像場所および同一撮像方向ごとにグループ分けして複数の撮像画像グループを生成するものでもよいし，多数の撮像画像を，同一撮像場所および同一被写体ごとにグループ分けして複数の撮像画像グループを生成するものでもよい。
【００１５】
グルーピング手段において生成された複数の撮像画像グループの中から一の撮像画像グループを指定する指定手段をさらに備えてもよい。この場合，貼付位置決定手段は，指定手段によって指定された一の撮像画像グループに含まれる撮像画像を，アルバムを構成するページまたは見開き２ページの同一位置となるように異なるページに貼り付け位置を決定するものとなろう。
【００１６】
アルバムは紙のアルバムでもよいし，電子アルバムでもよい。
【００１７】
一の撮像画像グループに含まれる撮像画像の数と撮像画像を貼付するアルバムのページ数または見開きページを１ページと考えた場合のページ数とが同じであることが好ましい。
【発明の効果】
【００１８】
この発明によると，多数の撮像画像が，同一撮像場所ごとにグループ分けされて複数の撮像画像グループが生成される。生成された複数の撮像画像グループに含まれる撮像画像が，アルバムを構成するページまたは見開き２ページの同一位置となるように異なるページに貼り付け位置が決定される。決定された位置に撮像画像が貼り付けられることにより，ユーザは，アルバムをめくったときにページの同じ位置に，同一場所で撮像された画像を見ることができる。アルバムをめくるだけで，同一場所で撮像された画像の変化を比較できる。同一場所で撮像される被写体は同一であることが多いから，同一被写体の変化の様子を観察できる。
【００１９】
紙のアルバムまたは電子アルバムは，複数の画像が，24ページ，36ページ，48ページなど複数のページに配置されるものであり，かつ各ページに複数の画像が配置される。このために，十数枚程度以上の撮像画像が多数の撮像画像（複数の撮像画像）と考えられる。同一撮像場所は，完全に同一の撮像場所でなくとも実質的に同一と考えられる撮像場所であればよい。たとえば，特定の場所にある草花などの被写体を撮像する場合に，その被写体を様々な方向から撮像できる場所であれば同一撮像場所となる。一般的には，数メートルの範囲が同一撮像場所と考えられるが，必ずしもその範囲に限定される必要は無い。被写体が人物であればユーザの自宅，ユーザの親類の家などを同一撮像場所と捉えることもできる。ページまたは見開き２ページの同一位置となるように異なるページに撮像画像を貼り付けるとは，ページまたは見開き２ページの右上であったら，異なるページまたは見開き２ページでも右上となるように同一位置に撮像画像を貼り付けるものである。右上に限らず，右下，左上または左下でも同様であるのはいうまでもない。また，同一の位置とは絶対的な位置のみならず，ページもしくは見開きの枠内における枠と画像位置の相対的な位置も含む。
【図面の簡単な説明】
【００２０】
【図１】ユーザの自宅を示している。
【図２】電子アルバム生成装置の電気的構成を示すブロック図である。
【図３】撮像画像ファイルのファイル構造を示している。
【図４】電子アルバム生成装置の処理手順を示すフローチャートである。
【図５】電子アルバム生成装置の処理手順を示すフローチャートである。
【図６】撮像情報テーブルの一例である。
【図７】撮像画像グループが生成される様子を示している。
【図８】電子アルバムが生成される様子を示している。
【図９】電子アルバムが生成される様子を示している。
【図１０】電子アルバムが生成される様子を示している。
【図１１】電子アルバムが生成される様子を示している。
【図１２】生成された電子アルバムを示している。
【図１３】生成された電子アルバムを示している。
【図１４】生成された電子アルバムを示している。
【図１５】生成された電子アルバムを示している。
【図１６】電子アルバム生成装置の表示画面の一例である。
【実施例】
【００２１】
図１は，電子アルバムを生成するユーザの自宅の平面図である。
【００２２】
ユーザの自宅21には，敷地内に家屋22があり，その家屋22の周囲に庭23がある。庭23には，木24，草花25などが生えている。ユーザは，これらの木24，草花25などを定期的に撮像するものとする。撮像場所Ｐａには草花25があり，撮像場所Ｐｂにも草花25があり，撮像場所Ｐｃには木24があり，撮像場所Ｐｄにも木24がある。また，自宅21の周囲には，東西南北の方角も記されている。
【００２３】
この実施例は，同一場所で撮像された画像を，電子アルバム（紙のアルバムでもよい）を構成する見開き２ページの同一位置に貼り付けるものである。
【００２４】
図２は，電子アルバム生成装置（アルバム・レイアウト装置）の電気的構成を示すブロック図である。
【００２５】
電子アルバム生成装置１は，スーパー，コンビニエンス・ストアなどに配置される。また，ユーザが所有しているパーソナル・コンピュータに，後述する動作プログラムをインストールすることにより，電子アルバムを生成することもできる。そのような場合には，パーソナル・コンピュータが電子アルバム生成装置１となる。
【００２６】
電子アルバム生成装置１の全体の動作は，ＣＰＵ２によって統括される。
【００２７】
電子アルバム生成装置１には，表示画面にタッチ・パネル５が形成されている表示装置６が含まれている。タッチ・パネル５をユーザがタッチしたことを示す信号は，ＣＰＵ２に入力する。
【００２８】
また，電子アルバム生成装置１には,キーボード，マウスなどを含む入力装置９，データ等を一時的に記憶するメモリ10も含まれている。さらに，電子アルバム生成装置１には，ハードディスク12，このハードディスク12にアクセスするためのハードディスク・ドライブ11およびサーバ等とインターネットを介して通信するための通信装置13も含まれている。
【００２９】
後述する動作プログラムが格納されているCD-ROM（コンパクト・ディスク-リード・オンリ・メモリ）（記録媒体）７がCD-ROMドライブ８に装填されると，CD-ROM７に格納されている動作プログラムが読み取られ，読み取られた動作プログラムが電子アルバム生成装置１にインストールされる。もっとも，通信装置13によって動作プログラムがダウンロードされ，ダウンロードされた動作プログラムが電子アルバム生成装置１にインストールされるようにしてもよい。
【００３０】
電子アルバムに貼り付ける（合成する）多数の撮像画像を表わす撮像画像ファイルが格納されているメモリ・カード３がメモリ・カード・リーダ４に装填されると，メモリ・カード・リーダ４によってメモリ・カード３から多数の撮像画像ファイルが読み取られる。読み取られた多数の撮像画像ファイルは，メモリ10に一時的に記憶される。
【００３１】
図３は，撮像画像ファイルのファイル構造（データ構造）を示している。
【００３２】
撮像画像ファイルには，ヘッダ記録領域と画像データ記録領域とが含まれている。
【００３３】
画像データ記録領域には，撮像画像を表わす画像データが記録されている。ヘッダ記録領域には，画像データ記録領域に記録されている画像データの管理情報が記録されている。たとえば，撮像場所，撮像方向，撮像日時などの管理情報がヘッダ記録領域に記録されている。撮像場所は，撮像に利用されたディジタル・カメラに搭載されているＧＰＳ（グローバル・ポジショニング・システム）から得られる。また，撮像方向は，ディジタル・カメラにディジタル・コンパスを搭載することにより得られる。さらに，撮像日時は，ディジタル・カメラに内蔵されている時計から得られる。
【００３４】
図４および図５は，電子アルバム生成装置１の処理手順を示すフローチャートである。
【００３５】
まず，上述のように，多数の撮像画像ファイルが格納されているメモリ・カード３がユーザによって電子アルバム生成装置１に装填される。すると，メモリ・カード・リーダ４によって，メモリ・カード３に格納されている多数の撮像画像ファイルが読み取られる（図４ステップ31）。読み取られた多数の撮像画像ファイルは，メモリ10に一時的に記憶される。メモリ10に一時的に記憶されている多数の撮像画像ファイルのそれぞれの撮像画像ファイルのヘッダからＣＰＵ２によって撮像場所等が読み取られる（図４ステップ32）。読み取られた撮像場所等からＣＰＵ２によって撮像情報テーブルが生成される（図４ステップ33）。
【００３６】
図６は，撮像情報テーブルの一例である。
【００３７】
この実施例では，撮像画像ファイル名0001.jpgから0100.jpgまでの100個の撮像画像ファイルが，メモリ・カード３から読み取られたものとする。撮像情報テーブルには，撮像画像ファイル名に対応して，それらの撮像画像ファイル名によって特定される撮像画像ファイル（撮像画像）の撮像場所，撮像方向および撮像日時が格納される。
【００３８】
図６において，撮像場所は，Ｐａ，Ｐｂ，Ｐｃ，Ｐｄ等によって示されているが，これらの撮像場所は，図１における撮像場所Ｐａ，Ｐｂ，Ｐｃ，Ｐｄ等に対応している。但し，実際には撮像場所は地理学的経緯度と呼ばれる南北を表す緯度と東西を表す経度によって表わされることとなろう。撮像日時は，撮像年月日および時分までが撮像情報テーブルに格納されているが，秒まで特定されてもよいし，分または時間までは特定されなくともよい。
【００３９】
撮像情報テーブルが生成されると，同一撮像場所であり，かつ同一の撮像方向である撮像画像が同一のグループとなるように，ＣＰＵ２によってグループ分けが行われて複数の撮像画像グループが生成される（図４ステップ34）（グルーピング手段）。
【００４０】
図７は，多数の撮像画像から複数の撮像画像グループが生成される様子を示している。
【００４１】
上述したように，画像ファイル名0001.jpgから0100.jpgの100個の多数の撮像画像ファイルＧが電子アルバム生成装置１のメモリ・カード・リーダ４によって読み取られる。読み取られた多数の撮像画像ファイルＧが，上述のように同一撮像場所であり，かつ同一の撮像方向である撮像画像を表わす撮像画像ファイルが同一の撮像画像グループとなるようにグループ分けされる。このグループ分けにより，複数の撮像画像グループＧａ，Ｇｂ，Ｇｃ，ＧｄおよびＧｄが得られたものとする。
【００４２】
撮像画像グループＧａには，撮像場所がＰａであり，かつ撮像方向が西である撮像画像を表わす撮像画像ファイル（撮像画像）が含まれる。撮像画像グループＧｂには，撮像場所がＰｂであり，かつ撮像方向が西である撮像画像を表わす撮像画像ファイル（撮像画像）が含まれる。撮像画像グループＧｃには，撮像場所がＰｃであり，かつ撮像方向が南西である撮像画像を表わす撮像画像ファイル（撮像画像）が含まれる。撮像画像グループＧｄには，撮像場所がＰｄであり，かつ撮像方向が南である撮像画像を表わす撮像画像ファイル（撮像画像）が含まれる。撮像画像グループＧｅには，撮像画像グループＧａからＧｄに含まれない撮像画像ファイル（撮像画像）が含まれる。撮像画像グループＧａからＧｄに含まれない撮像画像ファイルを含む撮像画像グループＧｅを生成するのではなく，同一撮像場所および同一撮像方向を表わす撮像画像ファイルをもつように，撮像画像グループＧａからＧｄ以外の他の撮像画像グループを生成するようにしてもよい。
【００４３】
また，同一撮像場所であり，かつ同一の撮像方向である撮像画像を表わす撮像画像ファイルが同一の撮像画像グループとなるようにグループ分けして生成される撮像画像グループに含まれる撮像画像ファイルの数が，電子アルバムのページ数（見開きの２ページを１ページと見なした場合のページ数）未満または所定数未満の場合には，同一の撮像方向でなくとも同一撮像場所の撮像画像を表わす撮像画像ファイルが同一の撮像画像グループとなるようにグループ分けするようにしてもよい。
【００４４】
図４に戻って，グループ分けにより得られた複数の撮像画像グループＧａからＧｄのうち（同一撮像場所および同一撮像方向の撮像画像だけが含まれているものではない撮像画像グループＧｅは除かれる），撮像画像を含む数が最も多い撮像画像グループが一の撮像画像グループとしてＣＰＵ２によって決定される（ステップ35）。決定された一の撮像画像グループに含まれる撮像画像ファイルによって表わされる撮像画像から，電子アルバムに貼り付けられる撮像画像が決定される（図４ステップ36）。一の撮像画像グループに含まれる撮像画像ファイルによって表わされる撮像画像の数が電子アルバムに貼り付ける枚数以下の場合には，それらの撮像画像のすべてが電子アルバムに貼り付けられるが，それらの撮像画像の数が電子アルバムに貼り付ける枚数より多い場合には，それらの撮像画像の中から電子アルバムに貼り付けられる撮像画像が決定されることとなる。主要被写体が大きく写っており，かつ適切な明るさをもつ撮像画像のうち，撮像日時が偏らずに，ばらつくように，電子アルバムに貼り付けられる撮像画像が決定されることとなろう。たとえば，一の撮像画像グループに含まれる撮像画像ファイルによって表わされる撮像画像を電子アルバムに貼り付ける枚数が12枚であり，１月から12月までの各月において撮像された画像の主要被写体像が大きく，かつ適切な明るさをもっていた場合には，各月ごとに１枚ずつの合計12枚の撮像画像が決定されることとなる。
【００４５】
また，上述のようにして決定された一の撮像画像グループに含まれる撮像画像ファイルによって表わされる撮像画像の数に対応したページ数または見開きページ数をもつ電子アルバムが選択されるようにしてもよい。たとえば，一の撮像画像グループに含まれる撮像画像ファイルによって表わされる撮像画像の数が30枚であれば，30ページの電子アルバムが選択され，見開きの２ページを１ページと考えたときにはページ数が30ページである電子アルバムが選択される。後述のように，一の撮像画像グループに含まれる撮像画像ファイルによって表わされる撮像画像が，アルバムを構成するページまたは見開き２ページの同一位置となるように異なるページに貼り付けられるようになる。
【００４６】
以下，一の撮像画像グループに春夏秋冬の時季に撮像された４枚の撮像画像が含まれており，見開きの２ページを１ページと考えた場合に４ページ（見開きの２ページを１ページと考えない場合には８ページ）の電子アルバムが選択されたものとする。この電子アルバムの見開きの２ページのレイアウトはすべてのページで同じである。
【００４７】
図８から図11は，電子アルバムを構成するページを示している。
【００４８】
図８から図11に示す電子アルバム50は，合計８ページ（見開きの２ページを１ページと考えた場合には４ページ）であり，見開きページにおける画像貼付領域のレイアウトはすべて同じである。すべてのページにおいて左側の奇数ページには，ほぼ全体に大きな画像貼付領域51（図８の第１ページ），画像貼付領域61（図９の第３ページ），画像貼付領域71（図10の第５ページ）または画像貼付領域81（図11の第７ページ）が形成されている。また，すべてのページにおいて右側の偶数ページの上半分には，画像貼付領域52（図８の第２ページ），画像貼付領域62（図９の第４ページ），画像貼付領域72（図10の第６ページ）または画像貼付領域82（図11の第８ページ）が形成されており，右側の偶数ページの下半分には，画像貼付領域53および54（図８の第２ページ），画像貼付領域63および64（図９の第４ページ），画像貼付領域73および74（図10の第６ページ）または画像貼付領域83および84（図11の第８ページ）が形成されている。
【００４９】
見開きの２ページの最大の画像貼付領域に，一の撮像画像グループに含まれる撮像画像が撮像画像順に貼付されるように貼付位置が決定され，その決定された貼付位置に撮像画像が貼り付けられる（図５ステップ37）（貼付位置決定手段，第１の撮像画像貼付手段）。したがって，図８の画像貼付領域51，図９の画像貼付領域61，図10の画像貼付領域71および図11の画像貼付領域81に，一の撮像画像グループＧａに含まれている撮像画像が撮像日時順に貼付される。これにより，これらの画像貼付領域51，61，71および81（これらの画像貼付領域51，61，71および81が異なるページの同一の位置である）には，春，夏，秋および冬に撮像された画像が貼付されることとなり，Ｐａの場所で撮像された画像によって表わされる被写体（この例では草花）の変化の様子が分る。同一の場所で撮像された被写体については，電子アルバムの見開き２ページの同一の位置となるように異なるページに貼付されるので，電子アルバムのページをめくるだけで，被写体の変化の様子が分る。
【００５０】
つづいて，最大画像貼付領域51，61，71および81に貼り付けられたそれぞれの撮像画像に関連する撮像画像が，ＣＰＵ２によって一の撮像画像グループＧａ以外の他の撮像画像グループの中から見つけられる（図５ステップ38）（関連画像検出手段）。見つけられた撮像画像が，貼付領域に貼り付けられる（図５ステップ39）（第２の撮像画像貼付手段）。
【００５１】
図８の画像貼付領域51に貼り付けられた撮像画像が一の撮像画像グループＧａに含まれている撮像画像ファイル名0001.jpgの撮像画像ファイルであったものとする。すると，その撮像画像ファイル名0001.jpgの撮像画像ファイルによって表わされる撮像画像に関連する撮像画像が，一の撮像画像グループＧａ以外の他の撮像画像グループの中から見つけられる。たとえば，撮像画像ファイル名0001.jpgの撮像画像ファイルによって表わされる撮像画像と同一時期（または近くの場所）に撮像された画像が，関連撮像画像として撮像画像グループＧｂ，ＧｃおよびＧｄのそれぞれから見つけられて，図12に示すように第２ページの画像貼付領域52，53および54のそれぞれに貼り付けられる。
【００５２】
第２ページの画像貼付領域52に対応する第４ページの画像貼付領域62，第６ページの画像貼付領域72および第８ページの画像貼付領域82には，第２ページの画像貼付領域52に貼り付けられた撮像画像を表わす撮像画像ファイルが属する撮像画像グループに含まれる撮像画像が撮像日時順に貼り付けられる。同様に，第２ページの画像貼付領域53に対応する第４ページの画像貼付領域63，第６ページの画像貼付領域73および第８ページの画像貼付領域83には，第２ページの画像貼付領域53に貼り付けられた撮像画像を表わす撮像画像ファイルが属する撮像画像グループに含まれる撮像画像が撮像日時順に貼り付けられ，第２ページの画像貼付領域54に対応する第４ページの画像貼付領域64，第６ページの画像貼付領域74および第８ページの画像貼付領域84には，第２ページの画像貼付領域54に貼り付けられた撮像画像を表わす撮像画像ファイルが属する撮像画像グループに含まれる撮像画像が撮像日時順に貼り付けられる。
【００５３】
上述した処理により，図12から図15に示すように，同一位置に存在する画像貼付領域については同一被写体の撮像画像が貼付され，被写体の変化の様子が分るようになる。
【００５４】
上述の実施例では，画像貼付領域62，72および82に貼り付けられる撮像画像，画像貼付領域63，73および83に貼り付けられる撮像画像ならびに画像貼付領域64，74および84に貼り付けられる撮像画像の主要被写体は，画像貼付領域52，53および54に貼り付けられる撮像画像の主要被写体と同じであるが，必ずしもそうでなくともよい。たとえば，第４ページの画像貼付領域62，63および64に貼り付けられる撮像画像は，見開きの２ページに含まれている第３ページの画像貼付領域61に貼り付けられている撮像画像に関連するものでもよい。同様に，第６ページの画像貼付領域72，73および74に貼り付けられる撮像画像は，見開きの２ページに含まれている第５ページの画像貼付領域71に貼り付けられている撮像画像に関連するものでもよいし，第８ページの画像貼付領域82，83および84に貼り付けられる撮像画像は，見開きの２ページに含まれている第７ページの画像貼付領域81に貼り付けられている撮像画像に関連するものでもよい。
【００５５】
さらに，上述の実施例では，一の撮像画像グループに含まれる撮像画像が見開きの２ページにおいて最大の画像貼付領域に貼り付けられるようにされているが，画像貼付領域に対応する撮像画像グループをユーザが指定するようにしてもよい。また，上述の実施例では，電子アルバムには画像貼付領域が規定されているが，画像貼付領域は必ずしも規定されていなくともよい。電子アルバムに画像貼付領域が規定されていない場合でも電子アルバムを構成するページまたは見開き２ページの同一位置に，一の撮像画像グループに含まれる撮像画像が，見開き２ページに含まれる撮像画像の中で最も大きくなるように貼り付けられることとなる。
【００５６】
図16は，電子アルバム生成装置１の表示装置６の表示画面の一例である。
【００５７】
表示画面90のほぼ全体には電子アルバム50の見開きページのレイアウト画像100が表示されている。見開きページのレイアウト画像100には，上述した奇数ページの画像貼付領域51等に対応する画像貼付領域91，偶数ページの画像貼付領域52等，53等および54等に対応する画像貼付領域92，93および94が形成されている。
【００５８】
レイアウト画像100の下部には，撮像画像グループＧａからＧｅの画像が表示されている。これらのグループＧａからＧｅの画像のうち，所望の画像がユーザによって，画像貼付領域91から94のうち，所望の画像貼付領域にドラッグ・アンド・ドロップされることにより，ドラッグ・アンド・ドロップされた撮像画像グループの画像によって特定される撮像画像グループに含まれる撮像画像が，ドラッグ・アンド・ドロップ先の画像貼付領域に対応する画像貼付領域に貼り付けられるようになる（指定手段）。
【００５９】
上述の実施例においては，一の撮像画像グループに含まれる撮像画像を見開き２ページの同一位置に貼り付けているが，ページごとにレイアウトが同じであれば，各ページの同一位置に貼り付けるようにしてもよい。また，上述の実施例においては，撮像日時順に撮像画像が電子アルバムに貼り付けられているが必ずしも撮像日時順に貼り付けなくともよい。さらに，上述の実施例では，電子アルバムについて説明したが電子アルバムではなく，紙のアルバムについても同様の処理ができるのはいうまでもない。紙のアルバムの場合には，上述した電子アルバム生成装置１にプリンタが接続され，プリンタによって上述した構成をもつ紙のアルバムがプリントされるようになろう。さらに，上述の実施例では，同一撮像場所であり，かつ同一撮像方向の撮像画像ごとに撮像画像グループが分けられていたが，同意撮像場所および同一被写体（同一被写体かどうかは被写体検出により検出された被写体像を比較することによりわかる）ごとに撮像グループが分けられるようにしてもよい。さらに，上述の実施例では，ユーザの自宅で撮像された画像について電子アルバムが生成されているが，ユーザの自宅に限らず，公園，ユーザの親類宅，観光地など様々な場所で撮像された画像を用いて上述のようにして電子アルバムを生成することもできる。さらに，電子アルバム生成装置１をインターネットのようなネットワークと接続されているサーバとし，ユーザの自宅等からサーバと通信することにより電子アルバムを生成するようにしてもよい。
【符号の説明】
【００６０】
１  電子アルバム生成装置
２  ＣＰＵ
７  CD-ROM
50  電子アルバム
【図１】
2015118393.tif 000003
【図２】
2015118393.tif 000004
【図３】
2015118393.tif 000005
【図４】
2015118393.tif 000006
【図５】
2015118393.tif 000007
【図６】
2015118393.tif 000008
【図７】
2015118393.tif 000009
【図８】
2015118393.tif 000010
【図９】
2015118393.tif 000011
【図１０】
2015118393.tif 000012
【図１１】
2015118393.tif 000013
【図１２】
2015118393.tif 000014
【図１３】
2015118393.tif 000015
【図１４】
2015118393.tif 000016
【図１５】
2015118393.tif 000017
【図１６】
2015118393.tif 000018